(57)【特許請求の範囲】
【請求項１】
装置本体の前部の左右両側に設けられたカム溝にモニタの両側面に設けられたモニタピンが嵌合され、スライド機構により前記モニタが前後方向に移動されることにより前記モニタピンと前記カム溝との係合を介して前記モニタが傾動できるようにしたモニタ装置において、
前記装置本体前面の上下方向中ほどの位置に回転自在に取り付けられたシャフトと、
前記シャフト上に設けられ前記モニタの閉位置及び開位置において前記モニタの背面に接触して付勢する弾力性のあるゴム弾性材製のローラとを備えたことを特徴とするモニタ装置。
【請求項２】
前記モニタが前記閉位置及び開位置にあるときに前記モニタピンを付勢するばね部材を設けたことを特徴とする請求項１記載のモニタ装置。
【発明の詳細な説明】
【技術分野】
【０００１】
この発明は、傾動可能なモニタを備えたモニタ装置に関する。
【背景技術】
【０００２】
オーディオシステムやカーナビゲーションシステムなどモニタ（液晶モニタパネルなど）を備えたモニタ装置においては、モニタを傾けることができるようになっているものが提供されている。例えば、モニタを傾けることにより、その背面に隠れていたＣＤの挿入口が現われ、モニタを元に戻すことによりモニタの背面に挿入口が隠れるといった構造のものがあげられる。このようなモニタ装置を車両などに搭載した場合、モニタが車両の振動により揺れて異音を発生することがある。モニタ装置におけるこのような異音が発生するという問題を解決するため、従来、例えば、モニタ収納部におけるモニタとの接触部にクッション材を貼り付けて異音の発生を抑制していた。
【０００３】
しかし、モニタは移動する際にもクッション材と接触するため、モニタとクッション材との接触による摩擦抵抗により摺動負荷が発生し、モニタの駆動装置の負荷が増大するという問題があった。また、クッション材が多数必要であり、コストが嵩むという問題もあった。更に、モニタとクッション材がこすれる際、クッション材にせん断力がかかり、クッション材を傷めるという問題もあった。
【０００４】
モニタ装置における異音の発生を防止する手段としては、ほかに例えば特許文献１、特許文献２があげられる。特許文献１に記載のものは、モニタに相当する可動ノーズを移動させるスライド部材の移動の際のラトル音を防止するためにスライド部材に板ばねを用いたものである。また、特許文献２に記載のものは、ディスプレイ部の背面にテンションローラ等を設け、本体部にローラを押し付けるようにしたものである。
【０００５】
【特許文献１】特開２００４−２１０１９１号公報
【特許文献２】特開平１１−２２７２５号公報
【発明の開示】
【発明が解決しようとする課題】
【０００６】
しかし、特許文献１に記載の技術は、可動ノーズをスライド部材のラトル音の発生を防止するものであり、そのままモニタの移動の際の異音発生防止手段としては使用することはできない。また、特許文献２に記載の技術は、可動のディスプレイの背面に、テンションローラ、テンションバー、ローラからなる機構を設けるもので、構造が煩雑になってしまう。
【０００７】
この発明は、上記のような技術的状況にかんがみてなされたもので、その課題は、簡単な構造で、モニタと装置本体側との接触による異音の発生を防止することができるモニタ装置を提供することにある。
【課題を解決するための手段】
【０００８】
上記課題を解決する、この発明に係るモニタ装置は、装置本体の前部の左右に設けられたカム溝にパネルの両側面に設けられたモニタピンが嵌合され、スライド機構により前記モニタが前後方向に移動されることにより前記モニタピンと前記カム溝との係合を介して前記モニタが傾動できるようにしたモニタ装置において、前記装置本体前面の上下方向中ほどの位置に回転自在に取り付けられたシャフトと、前記シャフト上に設けられ前記モニタの閉位置及び開位置において前記モニタの背面に接触して付勢する弾力性のあるゴム弾性材製のローラとを備えたことを特徴とする。
【発明の効果】
【０００９】
この発明に係るモニタ装置によれば、装置本体前面の上下方向中ほどの位置に回転自在に取り付けられたシャフトと、シャフト上に設けられモニタの閉位置及び開位置においてモニタの背面に接触して付勢する弾力性のあるゴム弾性材製のローラとを備えたことにより、装置本体側に設けたローラがモニタの閉位置及び開位置においてモニタの背面に当たるので、モニタががたつくことはなく、モニタのがたつきに起因する異音の発生は防止される。また、装置本体側にシャフトとローラを設けるという構成であるので、構造は極めて簡単となる。
【発明を実施するための最良の形態】
【００１０】
実施の形態１．
以下、この発明の実施の形態１を、図面を参照しながら詳細に説明する。図１は、実施の形態１に係るモニタ装置のモニタが開いた状態(開位置)の斜視図、図２は、モニタが閉じた状態(閉位置)の斜視図である。図３はモニタが開位置にあるときの、装置本体内部を示す斜視図、図４はモニタが閉位置にあるときの、装置本体内部を示す斜視図、図５は、モニタが開位置にあるときの装置側面に沿う断面図、図６は、モニタが閉位置にあるときの装置側面に沿う断面図である。図７は、付勢部材であるゴムローラとモニタとの関係を示す概略側面図であり、図８は、ゴムローラの取り付け状態を示し、（Ａ）は側面図、（Ｂ）は正面図である。
【００１１】
装置本体１は筐体２とその前面に板金３を介して取り付けられたサブパネル４とから構成されている。筐体２には、各種機器やＣＤ、ＣＤ−ＲＯＭなどのドライブなどが組み込まれている(図示省略)。サブパネル４の前側は、凹状のモニタ収容部５となっており、そのサブパネル４の前面４ａには、ＣＤ、ＣＤ−ＲＯＭなどを差し込むためのＣＤ挿入口(図示省略)が形成されている。モニタ収容部５の両側は、操作ボタンなどを配置するボタン配置部６ａ、６ｂとなっている。なお、サブパネルはプラスチックで作られる。
【００１２】
サブパネル４のモニタ収容部５にモニタ（液晶モニタパネル）７が傾動可能に収容される。モニタ７の両側面の上部付近には、モニタピン８が設けられている。一方、サブパネル４における左右のボタン配置部６ａ、６ｂの内側面には、カム溝９が形成され、ここに、モニタピン８が差し込まれる。カム溝９は、モニタ７を傾動させるため、その下方ではボタン配置部６ａ、６ｂの前面側に湾曲している。
【００１３】
装置本体１の筺体２内にはモニタ７を傾動させるためのスライド機構１０が組み込まれている。スライド機構１０は、筐体２内の両側部に前後方向に延ばして設けられたレール状のガイド部材１１と、ガイド部材１１に支持され、装置本体１から前方に出入り可能なスライド部材１２と、スライド部材１２を駆動させる駆動機構１３とからなっている。駆動機構１３は、モータ１４と、モータ１４の動力をスライド部材１２に伝えるピニオン・ラック機構１５などからなっている。スライド部材１２の先端部は、モニタ７の両側面の下部に連結されている。したがって、スライド機構１０が作動されてスライド部材１２が装置本体１から前方に押し出されることにより、モニタ７は、図２及び図４に示す閉位置から図１及び図３に示す開位置へと姿勢が変更される。この移動の際、モニタ７の両側面のモニタピン８はカム溝９内を移動し、モニタ７の移動を規制する。モニタ７が閉位置に来たときには、モニタ７は立った状態となり、サブパネル前面４ａにあるＣＤ挿入口を隠す。モニタ７が傾動して開位置に来たときには、ＣＤ挿入口は現われる。
【００１４】
装置本体１における筺体２とサブパネル４との間にある板金３には、付勢部材としてゴムローラ２１が設けられる。ゴムローラ２１は、図７に示すように、モニタ７が閉位置にあるとき及び開位置にあるときにモニタ７に当接してモニタ７を弾力的に保持する。ゴムローラ２１は、板金３の、正面から見て左右二箇所に設けられている。板金３の左右両端近くでかつ上下方向中ほどの位置に、ローラ保持部２２が立設され、ここにゴムローラ２１のシャフト２３が取り付けられている。ゴムローラ２１はシャフト２３上に回転自在に設けられている。この実施の形態１では、ゴムローラ２１を２つ配置したが、ゴムローラ２１は、１つでも、３つ以上であってもよい。また、付勢部材としてはゴム状弾性材であればよくその材質は問わない。
【００１５】
板金３の前側にサブパネル４があり、ゴムローラ２１の一部は、サブパネル４の前面４ａに設けられた長方形のゴムローラ用開口２４から突出する。
【００１６】
この実施の形態１に係るモニタ装置では、図９、図１０に示すように補助的な付勢部材として線ばね（線状のばね）３１が設けられている。図９は、線ばね３１の取り付け状態を示す装置側面に沿う断面図であり、図１０は、線ばね３１の取り付け状態の装置正面から見た概略図である。
【００１７】
線ばね３１は、サブパネル４のボタン配置部６ａ、６ｂの内側面３２に、留め部材３３により取り付けられている。線ばね３１の上端部３１ａは、モニタ７が閉位置に来たときにモニタピン８をカム溝９に押す形状とされている。また、線ばね３１の下端部３１ｂは、モニタ７が開位置に来たときにモニタピン８をカム溝９に押す形状とされている。補助的な付勢部材としては線ばねに限らず、板ばね、その他のばね部材でもよい。また、補助的付勢部材としては、モニタの閉位置及び開位置でモニタピン８を付勢すればよいので、閉位置及び開位置にのみ設けられていてもよい。
【００１８】
この実施の形態１に係るモニタ装置において、モニタ７が閉位置にある状態からのモニタ回動作時の一連の動作は、先ずスライド機構１０のモータ１４の作動により、ピニオン・ラック機構１５を介してスライド部材１１が収納位置から突出し、モニタ７の下部が前方に突き出される。モニタ７は、モニタピン８とカム溝９との係合により傾動移動し、スライド部材１２が所定の位置まで突き出された位置で停止し、モニタ７は、図１及び図７に示す開位置に来る。モニタ７の閉動作は、スライド機構１０が逆の動作を行うことにより達成される。
【００１９】
この実施の形態１に係るモニタ装置においては、図１−図６に示すように、モニタ７の開位置及び閉位置の両位置でモニタ７の背面とゴムローラ２１が当接し、ゴムローラ２１の弾性力によりモニタ７への与圧が発生する(図５、図６、図７参照)。このため、モニタ装置に振動が加わったとしても、モニタ７ががたつくことはなく、振動による異音は発生しない。
【００２０】
モニタ７の開閉動作を始める際、モニタ７の背面とゴムローラ２１とが接触した状態であるため摺動摩擦力はあるがゴムローラ２１が回動自在に取り付けられているため、その摺動摩擦力は軽減される。また、モニタ７の閉位置と開位置との間では、ゴムローラ２１はモニタ７に接触しないため、モニタ７とゴムローラ２１との接触による摩擦抵抗は生ぜず、モニタ７の回動はスムーズに行われる。
【００２１】
この実施の形態１に係るモニタ装置では、モニタ７の閉位置及び開位置のどちらにおいても、モニタピン８に線ばね３１のばね力が作用し、モニタピン８がカム溝９の側面９ａに押し付けられるため、線ばね３１のばね力によってもモニタ７はその閉位置及び開位置に弾力的に保持される。
【００２２】
線ばね３１は、モニタ７の閉位置及び開位置でモニタピン８にばね力を作用させるが、そのばね力の分力はモニタ７を移動させる方向となっている。したがって、モニタ７を移動させる際には、この分力が、モニタ７が移動し始める際のアシスト力として作用する。
【００２３】
この実施の形態１に係るモニタ装置によれば、装置本体１側の板金３に設けた付勢部材としてのゴムローラ２１がモニタ７の閉位置及び開位置においてモニタ７に当たるので、モニタ装置が振動を受けたとしてもモニタ７ががたつくことはなく、モニタ７のがたつきに起因するラトル音などは生じない。また、装置本体１の板金３、サブパネル４にゴムローラ２１を設けるという構成であるので、構造は極めて簡単となる。更に、付勢部材がゴムローラ２１であるので、モニタ７の開閉動の際に大きな抵抗となることはなく、そのためスライド機構１０に係るに係る負荷が低減でき、モニタ開閉動作に対する耐久性に優れる。
【００２４】
この実施の形態１に係るモニタ装置によれば、モニタ７の開位置及び閉位置において、サブパネル４の前面４ａから突出するゴムローラ２１がモニタ７と接触するのでモニタ７のガタツキが防止され、ガタツキに起因する異音の発生は防止される。しかも、異音の発生防止は、装置本体側にゴムローラ２１を設けるという極めて簡単な構成により達成できる。また、モニタ７を移動する際ゴムローラ２１は回転するので、モニタ７の駆動負荷は低減される。更に、モニタ７の開位置及び閉位置において、線ばね３１によってモニタピン８をカム溝９の側面９ａに押し付けているので、モニタ７のガタツキによる異音の発生を更に効果的に防止できる。
【図面の簡単な説明】
【００２５】
【図１】実施の形態１に係るモニタ装置のモニタが開いた位置(開位置)にある状態の斜視図である。
【図２】実施の形態１に係るモニタ装置のモニタが閉じた位置(閉位置)にある状態の斜視図である。
【図３】実施の形態１に係るモニタ装置のモニタ開状態の、装置本体内部を示す斜視図である。
【図４】実施の形態１に係るモニタ装置のモニタ開状態の、装置本体内部を示す斜視図である。
【図５】実施の形態１に係るモニタ装置のモニタ開状態の側面に沿う断面図である。
【図６】実施の形態１に係るモニタ装置のモニタ閉状態の側面に沿う断面図である。
【図７】付勢部材であるゴムローラとモニタとの関係を示す概略側面図である。
【図８】ゴムローラの取り付け状態の詳細図であり、（Ａ）は側面図、（Ｂ）は正面図である。
【図９】線ばねを取り付けた状態の装置側面に沿う断面図である。
【図１０】線ばねの取り付け状態の装置正面に沿う概略断面図である。
【符号の説明】
【００２６】
１  装置本体、２  筐体、３  板金、４  サブパネル、５  モニタ収容部、７  モニタ、８  モニタピン、９  カム溝、１０  スライド機構、１２  スライド部材、２１  ゴムローラ、２２  ローラ保持部、２３  シャフト、２４  ゴムローラ用開口、３１  線ばね、３３  留め部材。
【図１】
0005121468.tif 000002
【図２】
0005121468.tif 000003
【図３】
0005121468.tif 000004
【図４】
0005121468.tif 000005
【図５】
0005121468.tif 000006
【図６】
0005121468.tif 000007
【図７】
0005121468.tif 000008
【図８】
0005121468.tif 000009
【図９】
0005121468.tif 000010
【図１０】
0005121468.tif 000011